(57)【特許請求の範囲】
【請求項１】
シートに画像を記録する記録部と、
上記記録部にて画像が記録されたシートを第１方向へ排出する排出機構と、
上記排出機構から排出されるシートを支持する排紙トレイと、を備えており、
上記排紙トレイは、
支持面と、
前記第１方向と直交する第２方向において離間して配置され、上記支持面より上記支持面と直交する第３方向に突出し、上記第１方向に沿って延出し、上記第３方向における上記支持面からの距離が上記第１方向の上流側から下流側に向かうにつれて大きくなるように上記支持面に対して傾斜する一対の第１傾斜部と、
上記支持面より上記第３方向に突出し、上記第１方向に沿って延出し、上記第３方向における上記支持面からの距離が上記第１方向の上流側から下流側に向かうにつれて大きくなるように上記支持面に対して傾斜し、上記第２方向において上記一対の第１傾斜部よりも内側で上記一対の第１傾斜部に並んで配置され、上記第２方向において離間して配置される一対の第２傾斜部と、を備え、
上記一対の第１傾斜部の上記第１方向の下流側の端部の各々は、上記一対の第２傾斜部の上記第１方向の下流側の端部の各々よりも上記第１方向の下流側に位置し、
上記一対の第１傾斜部の上記第１方向の下流側の端部の各々は、上記一対の第２傾斜部の上記第１方向の下流側の端部の各々よりも上記第３方向における上記支持面からの距離が大きい画像記録装置。
【発明の詳細な説明】
【技術分野】
【０００１】
本発明は、シートに画像を記録して排紙トレイに排出する画像記録装置に関する。
【背景技術】
【０００２】
搬送するシートに画像を記録して排紙トレイに排出する画像記録装置がある（例えば、特許文献１参照）。特許文献１に記載された画像記録装置では、複数本の支持リブが排紙トレイに設けられている。支持リブは、排紙トレイの支持面から上向きに突出し、シートの排出向きへ延びている。また、支持リブは、上端面が支持面に沿うように形成されている。シートは、支持リブの上端面に摺接しながら排紙トレイに排出される。
【先行技術文献】
【特許文献】
【０００３】
【特許文献１】特開２００７−５０９８９号公報
【発明の概要】
【発明が解決しようとする課題】
【０００４】
画像記録装置には、例えば小型化のため、用いられるシートのうち最大サイズのシートの排出向きの下流側端部以外の部分を支持可能な程度の大きさに排紙トレイが形成されたものがある。この種の排紙トレイを備える画像記録装置では、シートのサイズによっては、排出されたシートの下流側端部が排紙トレイから垂れ下がることがある。下流側端部が垂れ下がると上流側端部が持ち上がり、次に排出されるシートが先に排出されたシート上を滑り難くなったり、先に排出されたシートの後端部が次に排出されるシートの排出動作を妨げたりする。そうすると、シートが折れたり、シートの表裏が反転したり、シートが詰まったりするなど、シートを正常に排出できなくなるおそれが生じる。
【０００５】
特許文献１に記載された支持リブは、最初に排出されるシートを滑りやすくする。しかしながら、この支持リブは、略水平に形成されており、前述の問題を解決することはできない。
【０００６】
本発明は、前述された事情に鑑みてなされたものであり、その目的とするところは、画像記録後のシートを正常に排出可能とする手段を提供することにある。
【課題を解決するための手段】
【０００７】
(1)  本発明の画像記録装置は、シートに画像を記録する記録部と、上記記録部にて画
像が記録されたシートを第１方向へ排出する排出機構と、上記排出機構から排出されるシートを支持する排紙トレイと、を備える。上記排紙トレイは、支持面と、前記第１方向と直交する第２方向において離間して配置され、上記支持面より上記支持面と直交する第３方向に突出し、上記第１方向に沿って延出し、上記第３方向における上記支持面からの距離が上記第１方向の上流側から下流側に向かうにつれて大きくなるように上記支持面に対して傾斜する一対の第１傾斜部と、上記支持面より上記第３方向に突出し、上記第１方向に沿って延出し、上記第３方向における上記支持面からの距離が上記第１方向の上流側から下流側に向かうにつれて大きくなるように上記支持面に対して傾斜し、上記第２方向において上記一対の第１傾斜部よりも内側で上記一対の第１傾斜部に並んで配置され、上記第２方向において離間して配置される一対の第２傾斜部と、を備える。上記一対の第１傾斜部の上記第１方向の下流側の端部の各々は、上記一対の第２傾斜部の上記第１方向の下流側の端部の各々よりも上記第１方向の下流側に位置し、上記一対の第１傾斜部の上記第１方向の下流側の端部の各々は、上記一対の第２傾斜部の上記第１方向の下流側の端部の各々よりも上記第３方向における上記支持面からの距離が大きい。
【０００８】
排出機構から排出される画像記録後のシートの第１方向下流端部は、第２支持片の上端に摺接した後、第１支持片に乗り上げて第１支持片の上端に摺接する。そのため、傾斜角度が急な第１支持片よりも先に第２支持片に当接することとなり、シートの排出が妨げられにくい。シートは、下流側端部が第１支持片から第１方向下流側に突出した状態で排紙トレイに支持される。
【０００９】
第１支持片及び第２支持片の上端が第１方向下流側ほど高くなるように傾斜されているから、シートは、第１方向上流端から下流端へ向かうにつれて高くなる状態で排紙トレイに支持される。また、シートは、第２方向において湾曲した状態で排紙トレイに支持される。このような状態でシートが支持されることにより、シートの第１方向下流側端部が排紙トレイから垂れ下がることが抑制され、複数枚のシートを正常に排出可能となる。
【００１０】
【００１１】
【００１２】
【００１３】
【００１４】
【００１５】
【００１６】
【００１７】
【発明の効果】
【００１８】
本発明では、排出されたシートが排紙トレイから垂れ下がることを抑制でき、その結果、複数枚のシートを正常に排出することができる。
【図面の簡単な説明】
【００１９】
【図１】画像記録装置の斜視図である。
【図２】プリンタ部の模式的な断面図である。
【図３】給送部及びトレイ体の斜視図である。
【図４】第２姿勢におけるトレイ体の斜視図である。
【図５】第１姿勢におけるトレイ体の斜視図である。
【図６】排紙トレイがない状態におけるトレイ体の斜視図である。
【図７】（Ａ）はトレイ体の正面図であり、（Ｂ）はトレイ体の側面図である。
【図８】トレイ体及びスイッチバックローラを示す図であり、（Ａ）は平面図で、（Ｂ）は（Ａ）のＢＢ断面図である。
【図９】プリンタ部の動作を説明するための説明図であり、（Ａ）〜（Ｃ）は断面図で、（Ｄ）は正面図である。
【図１０】プリンタ部の動作を説明するための模式的な断面図である。
【図１１】変形例におけるトレイ体の斜視図である。
【図１２】変形例における排紙トレイの左側の正面図である。
【発明を実施するための形態】
【００２０】
以下、本発明の実施形態について説明がされる。なお、以下に説明される実施形態は本発明の一例にすぎず、本発明の要旨を変更しない範囲で実施形態を適宜変更できることは言うまでもない。以下の説明では、画像記録装置１０が使用可能に設置された状態（図１の状態）を基準として上下方向７が定義され、表示部１４が設けられている側を前側（正面側）として前後方向８が定義され、画像記録装置１０を前側（正面側）から見て左右方向９が定義される。
【００２１】
［画像記録装置１０］
画像記録装置１０は、下部のプリンタ部１１と上部のスキャナ部１２とを備えた概ね直方体の外形を呈しており、プリント、スキャン、コピー機能を有する複合機である。なお、スキャナ部１２は任意の構成である。
【００２２】
プリンタ部１１の制御は、不図示の制御部により行われる。制御部は、例えば基板に実装されたマイコンなどにより実現される。制御部は、不図示の入力部やパソコンなどの外部機器から入力された情報によりプリンタ部１１の動作を制御してシート１７（図２）に画像を記録する。
【００２３】
プリンタ部１１には、種々のサイズのシート１７が載置されるトレイ体１６が収容されている。シート１７は、記録用紙（Ａ４，Ｂ５等）、光沢紙、葉書、封書などである。トレイ体１６は、プリンタ部１１の筐体１３の前面に設けられた開口１５から引き出し可能に筐体１３に支持されている。
【００２４】
図２に示されるように、プリンタ部１１は、給送部２０、搬送部３０、記録部４０及び不図示の駆動部を備える。駆動部は、制御部により駆動制御される複数個の駆動モータと、この駆動モータの駆動力を給送部２０や搬送部３０や記録部４０等に伝達する駆動伝達機構と、を備える。
【００２５】
図２、３に示されるように、給送部２０は、回転軸２１、アーム２２、左右一対の給送ローラ２３及び複数個の伝達ギア２４を備える。回転軸２１は、左右方向９へ沿って延びる丸棒状に形成されている。回転軸２１は、トレイ体１６の後部の上方に配置され、不図示のフレームに回転可能に支持されている。回転軸２１は駆動部により回転される。
【００２６】
図２に示されるように、アーム２２は、回転軸２１から後方斜め下に向かって延びるように設けられている。アーム２２は、回転軸２１側の一端において回転軸２１に回動可能に支持され、他端において給送ローラ２３を回転可能に支持している。つまり、アーム２２は、トレイ体１６の後部の上方に配置された給送ローラ２３を上下に変位可能且つ回転可能に支持している。アーム２２は、自重又はばねなどにより付勢されることにより、トレイ体１６に収容されたシート１７に給送ローラ２３を上方から押し付ける。
【００２７】
図３に示されるように、アーム２２は、左右方向９におけるトレイ体１６の中央付近から右端に渡る摺接部２５を備える。摺接部２５は、トレイ体１６が前後方向８へ沿って移動された場合において、トレイ体１６に設けられた第１摺接面６６又は第２摺接面７６（図５）に摺接する。図２に示されるように、トレイ体１６がプリンタ部１１（図１）に装着されると、アーム２２が摺接部２５において第１摺接面６６または第２摺接面７６に摺接することによりアーム２２及び給送ローラ２３が上下に揺動される。
【００２８】
回転軸２１の回転を給送ローラ２３へ伝達する複数個の伝達ギア２４がアーム２２に設けられている。アーム２２によりシート１７に押し付けられた給送ローラ２３は、回転軸２１及び伝達ギア２４を介して駆動部により回転され、シート１７を後方へ送り出す。送り出されたシート１７は搬送部３０により搬送される。
【００２９】
［搬送部３０］
図２に示されるように、搬送部３０は、シート１７を挟んで搬送する第１搬送ローラ対５０、第２搬送ローラ対５３及びスイッチバックローラ対５６と、シート１７が通過する空間である第１搬送路３１及び第２搬送路３２と、を備える。
【００３０】
第１搬送路３１は、後述されるトレイ体１６のメイントレイ６０の後壁６３の上端から上方へ向かって湾曲した後、前方へ向かって直線状に延びている。第１搬送路３１は、湾曲内側に配置された内側ガイド部材３３と、湾曲外側に配置された外側ガイド部材３４と、トレイ体１６の上方に配置されたプラテン３５と、プラテン３５の前方に配置された上側ガイド部材３６及び下側ガイド部材３７と、により区画されている。給送部２０によりトレイ体１６から送り出されたシート１７は第１搬送路３１を第１搬送向き４５へ移動する。
【００３１】
第２搬送路３２は、プラテン３５の下方を通過し、第１搬送向き４５におけるプラテン３５より上流側の第１接続点４６とプラテン３５より下流側の第２接続点４７とにおいて第１搬送路３１と接続している。第２搬送路３２は、上側の第１ガイド部材３８と下側の第２ガイド部材３９とにより区画されている。
【００３２】
第１搬送ローラ対５０は、第１搬送向き４５における第１接続点４６とプラテン３５との間となる位置に配置されている。第１搬送ローラ対５０は、駆動部により回転される第１駆動ローラ５１と、ばねなどにより第１駆動ローラ５１に押圧された第１従動ローラ５２と、を備える。第１駆動ローラ５１は第１搬送路３１の上側に配置されている。第１従動ローラ５２は第１搬送路３１の下側に配置されている。
【００３３】
第２搬送ローラ対５３は、第１搬送向き４５におけるプラテン３５と第２接続点４７との間となる位置に配置されている。第２搬送ローラ対５３は、駆動部により回転される第２駆動ローラ５４と、ばねなどにより第２駆動ローラ５４に押圧された第２従動ローラ５５と、を備える。第２従動ローラ５５は拍車である。第２駆動ローラ５４は第１搬送路３１の下側に配置されている。第２従動ローラ５５は第１搬送路３１の上側に配置されている。
【００３４】
スイッチバックローラ対５６は、第１搬送向き４５における第２接続点４７より下流側に配置されている。また、スイッチバックローラ対５６は、後述されるトレイ体１６の排紙トレイ８０の上方に配置されている。スイッチバックローラ対５６は、駆動部により回転される軸５９に設けられた第３駆動ローラ５７と、ばねなどにより第３駆動ローラ５７に押圧された第３従動ローラ５８と、を備える。第３従動ローラ５８は拍車である。軸５９は左右方向９に沿う。第３駆動ローラ５７は第１搬送路３１の下側に配置されている。第３従動ローラ５８は第１搬送路３１の上側に配置されている。第３駆動ローラ５７が排出ローラに相当する。
【００３５】
トレイ体１６から給送部２０により送り出されたシート１７は、第１搬送ローラ対５０及び第２搬送ローラ対５３により第１搬送向き４５へ搬送される。シート１７は、プラテン３５上において、後述される記録部４０により画像を記録される。記録部４０により一面（表面）に画像が記録されたシート１７は、片面印刷の場合、スイッチバックローラ対５６からトレイ体１６の排紙トレイ８０に排出向き４９へ排出される。両面印刷の場合、記録部４０により一面に画像が記録されたシート１７は、第１搬送向き４５における上流端（後端）が第２接続点４７を越えるまでスイッチバックローラ対５６の一方の向きの回転により第１搬送向き４５へ搬送された後、スイッチバックローラ対５６の他方の向きの回転により第２接続点４７から第２搬送路３２に進入する（図１０）。シート１７は、スイッチバックローラ対５６により第２搬送路３２を第２搬送向き４８へ搬送され、第１接続点４６から第１搬送路３１に進入し、表裏が反転されて第１搬送路３１を第１搬送向き４５へ搬送される。シート１７は、記録部４０により裏面に画像が記録された後、スイッチバックローラ対５６から排紙トレイ８０へ排出向き４９へ排出される。排出向き４９が第１方向に相当する。スイッチバックローラ対５６及び第２搬送路３２が両面記録機構に相当する。
【００３６】
［記録部４０］
図２に示されるように、記録部４０は、プラテン３５の上方に配置されたキャリッジ４１と、キャリッジ４１に搭載された記録ヘッド４２と、を備える。キャリッジ４１は、不図示のレール部材により左右方向９へ沿って移動可能に支持されている。記録ヘッド４２は、電力が供給されることにより、プラテン３５上を通過するシート１７に向けてインク滴を吐出する。なお、上述のようなインクジェット記録方式により画像を記録する記録部４０の代わりに、電子写真記録方式やその他の記録方式により画像を記録する記録部が用いられてもよい。記録部４０が記録部に相当する。
【００３７】
［トレイ体１６］
図４〜８に示されるように、トレイ体１６は、メイントレイ６０、セカンドトレイ７０及び排紙トレイ８０を備える。トレイ体１６がトレイ体に相当する。メイントレイ６０が第１トレイに相当する。セカンドトレイ７０が第２トレイに相当する。
【００３８】
［メイントレイ６０］
図４に示されるように、メイントレイ６０は、高さが低く上部が開口する扁平な箱状の外形を呈しており、底６１、左右の側壁６２、後壁６３及び前壁６４を備える。底６１の上面６５にシート１７（図２）が載置される。底６１の上面６５が第１載置面に相当する。メイントレイ６０は、載置可能な最大サイズがＡ４となるように、前後方向８及び左右方向９における大きさが設定されている。
【００３９】
図２に示されるように、メイントレイ６０の後壁６３は、底６１の後端から後方斜め上へ向かって延び、底６１に対して傾斜している。後壁６３は、給送ローラ２３により送り出されたシート１７を第１搬送路３１へ案内する。
【００４０】
図４に示されるように、メイントレイ６０の右の側壁６２には、前方へ向かうにつれて下がる第１摺接面６６が上端面の一部として設けられている。第１摺接面６６は、トレイ体１６がプリンタ部１１へ装着される際にアーム２２の摺接部２５（図３）が摺接可能なように設けられている。
【００４１】
図６に示されるように、メイントレイ６０は、第１リアガイド６８及び第１サイドガイド機構６９を備える。第１リアガイド６８は、底６１の上面６５に載置されたシート１７の前後方向８の位置決めを行うものである。第１サイドガイド機構６９は、底６１の上面６５に載置されたシート１７の左右方向９の位置決めを行い、シート１７を第１搬送路３１へ案内するものである。第１リアガイド６８は、セカンドトレイ７０に設けられた後述の第２リアガイド１００と同様の構成である。第１サイドガイド機構６９は、セカンドトレイ７０に設けられた後述の第２サイドガイド機構９０と同様の構成である。
【００４２】
図４に示されるように、メイントレイ６０の左右の側壁６２の内側面側の上下方向７における中央部には、セカンドトレイ７０を支持する左右一対のガイドレール６７が設けられている。メイントレイ６０は、ガイドレール６７により、前後方向８へ沿って移動可能にセカンドトレイ７０を支持する。
【００４３】
［セカンドトレイ７０］
図６に示されるように、セカンドトレイ７０は、前後方向８の長さがメイントレイ６０の前後方向８の長さよりも短い矩形板状の外形を呈している。セカンドトレイ７０は、左右一対のガイドレール６７に左右両端部が支持されており、前後方向８に沿って移動可能である。セカンドトレイ７０の上面７１にシート１７が載置される載置領域７２が設けられている。載置領域７２が第２載置面に相当する。セカンドトレイ７０には、載置領域７２に載置されたシート１７の前後方向８における位置決めを行う左右一対の支持突片７３及び第２リアガイド１００と、シート１７の左右方向９における位置決めを行う第２サイドガイド機構９０とが設けられている。支持突片７３は、セカンドトレイ７０の後端から後方斜め上へ向かって延びている。
【００４４】
図６に示されるように、第２リアガイド１００は、載置領域７２の前方に配置されている。図８（Ｂ）に示されるように、第２リアガイド１００は、本体部１０１、当接部１０２、止め部１０３及び結合部１０４を備える。当接部１０２は、セカンドトレイ７０に載置されたシート１７に当接可能なように、本体部１０１の後側に配置されている。本体部１０１及び当接部１０２は、セカンドトレイ７０の上面７１側に配置されている。止め部１０３は、セカンドトレイ７０の下面７４側に配置されている。結合部１０４は、セカンドトレイ７０の左右方向９の中央部に前後方向８へ沿って設けられた貫通孔７５に配置され、上面７１側の本体部１０１及び当接部１０２と、下面７４側の止め部１０３と、を結合している。本体部１０１、当接部１０２及び止め部１０３の左右方向９の幅は、貫通孔７５の左右方向９の幅よりも広い。つまり、第２リアガイド１００は、貫通孔７５が延びる前後方向８へ沿って移動可能にセカンドトレイ７０に支持されている。
【００４５】
ユーザは、本体部１０１と当接部１０２とにおいて第２リアガイド１００を摘み、第２リアガイド１００を後方へ移動させ、当接部１０２を載置領域７２に載置されたシート１７の前端に当接させ、シート１７を支持突片７３と当接部１０２とで前後に挟む。シート１７は、当接部１０２に当接することにより前後方向８において移動が規制される。第２リアガイド１００が規制部材に相当する。
【００４６】
図６に示されるように、第２サイドガイド機構９０は、ピニオンギア９１、左右一対のサイドガイド９２、左右一対のラックギア９６、及び操作つまみ９７を備える。ピニオンギア９１は、左右方向９におけるセカンドトレイ７０の中央部に回動可能に設けられている。サイドガイド９２は、セカンドトレイ７０の上面７１側におけるピニオンギア９１の左方及び右方に配置されている。各ラックギア９６は、一方のサイドガイド９２と結合され且つピニオンギア９１と噛み合うようにそれぞれ設けられている。操作つまみ９７は、セカンドトレイ７０の上面７１の左端寄りの位置に配置され、左右方向９へ沿って移動可能にセカンドトレイ７０に支持されている。操作つまみ９７は、左側のサイドガイド９２と結合され、ユーザにより左右方向９へ沿って移動されることにより左側のサイドガイド９２を移動させる。
【００４７】
サイドガイド９２は、支持板９３、側板９４及び天板９５を備える。支持板９３は、上面がセカンドトレイ７０の上面７１とほぼ同じ高さとなるように配置されている。左側のサイドガイド９２では、側板９４は支持板９３の左端部から上向きへ突出されている。右側のサイドガイド９２では、側板９４は支持板９３の右端部から上向きへ突出されている。また、側板９４は、支持板９３よりも後方まで延びている。天板９５は、上下方向７において支持板９３と対向するように、側板９４の上端部の前部から左方又は右方に向かって突出されている。
【００４８】
操作つまみ９７を介して左側のサイドガイド９２がユーザにより右向きに移動されると、右側のサイドガイド９２と結合されたラックギア９６が右向きへ移動され、ラックギア９６と噛み合うピニオンギア９１が回転される。ピニオンギア９１が回転されることにより、右側のサイドガイド９２と結合された右側のラックギア９６が左向きへ移動され、右側のサイドガイド９２が左向きへ移動される。同様に左側のサイドガイド９２がユーザにより左向きへ移動されると、右側のサイドガイドは右向きへ移動する。このように、左右一対のサイドガイド９２は互いに近づく向き又は互いに離れる向きへ連動して移動する。
【００４９】
ユーザは、操作つまみ９７を操作して左右一対のサイドガイド９２を互いに近づく向きへ移動させ、左右のサイドガイド９２の側板９４で載置領域７２に載置されたシート１７を左右方向９において挟む。シート１７は、サイドガイド９２の側板９４が左右両端に当接することにより、左右方向９において位置決めされ、また、給送ローラ２３により送り出される際に、斜行が防止されて第１搬送路３１へ案内される。
【００５０】
載置領域７２に載置されたシート１７は、第２サイドガイド機構９０により、左右方向９の中央がセカンドトレイ７０の左右方向９の中央に一致するように位置決めされる。つまり、シート１７は、センタ合わせでセカンドトレイ７０に載置される。同様に、メイントレイ６０に載置されるシート１７も、第１サイドガイド機構６９により、センタ合わせでメイントレイ６０に載置される。
【００５１】
セカンドトレイ７０は、上面７１から上向きへ突出する被操作部７７を一体に備える。被操作部７７は、セカンドトレイ７０の右端寄りの位置に設けられている。被操作部７７がユーザにより前向きまたは後ろ向きへ押されることにより、メイントレイ６０のガイドレール６７により前後方向８へ沿って移動可能に支持されているセカンドトレイ７０は、メイントレイ６０の後部寄りの第１姿勢（図５）、及びメイントレイ６０の前部寄りの第２姿勢（図４）に姿勢変化する。
【００５２】
図５に示されるように、セカンドトレイ７０の上面７１の載置領域７２以外の領域に、第１姿勢においてアーム２２の摺接部２５（図３）が摺接する第２摺接面７６が設けられている。第２摺接面７６は、前方へ向かうにつれて下がるように傾斜している。
【００５３】
セカンドトレイ７０が第１姿勢にされた状態においてトレイ体１６がプリンタ部１１に装着されると、アーム２２の摺接部２５（図３）が第２摺接面７６に摺接してアーム２２が上方に揺動し、アーム２２及び給送ローラ２３が後壁６３を乗り越える。その後、第２摺接面７６と摺接しながら、アーム２２が下方に揺動し、セカンドトレイ７０の上面７１に載置されたシート１７に給送ローラ２３（図２）が当接される。給送ローラ２３は、駆動部により回転されることにより、セカンドトレイ７０に載置されたシート１７を第１搬送路３１（図２）へ送り出す。
【００５４】
セカンドトレイ７０が第２姿勢にされた状態においてトレイ体１６がプリンタ部１１に装着されると、アーム２２の摺接部２５（図３）がメイントレイ６０の第１摺接面６６に摺接してアーム２２が回動し、メイントレイ６０の底６１の上面６５に載置されたシート１７に給送ローラ２３（図２）が押圧される。給送ローラ２３は、駆動部により回転されることにより、メイントレイ６０に載置されたシート１７を第１搬送路３１（図２）へ送り出す。ユーザは、セカンドトレイ７０の姿勢を変えることにより、メイントレイ６０に載置されたシート１７又はセカンドトレイ７０に載置されたシート１７を選択してプリンタ部１１に画像を記録させることができる。
【００５５】
［排紙トレイ８０］
図４、５に示されるように、排紙トレイ８０は、前後方向８の長さがメイントレイ６０の前後方向８の長さよりも短い矩形板状の外形を呈しており、メイントレイ６０の前端に寄せて配置されている。排紙トレイ８０はメイントレイ６０の前後方向８の長さよりも短いから、後述されるように、Ａ４などの大きいサイズのシート１７は、排出向き４９における下流端（前端）が排紙トレイ８０の前端よりも前方へ突出した状態で排紙トレイ８０に支持される（図９）。排紙トレイ８０が排紙トレイに相当する。
【００５６】
排紙トレイ８０がメイントレイ６０の前端に寄せて配置されることにより、第１姿勢にあるセカンドトレイ７０は、その一部が露出される。第２姿勢にあるセカンドトレイ７０は、そのほとんどが排紙トレイ８０に覆い隠される。第２サイドガイド機構９０は、第１姿勢において露出され、ユーザによる操作を受け付ける。
【００５７】
トレイ体１６がプリンタ部１１に装着された状態において、スイッチバックローラ対５６の第３駆動ローラ５７は、排紙トレイ８０の後端寄りの上方に位置している。したがって、排紙トレイ８０は、スイッチバックローラ対５６から排出されたシート１７を上面８１で受けることができる。排紙トレイ８０の上面８１が支持面に相当する。
【００５８】
排紙トレイ８０の右端寄りの位置には、セカンドトレイ７０の右端寄りの位置に設けられた被操作部７７を露出させる第１開口８２が設けられている。第１開口８２は前後方向８に長く、第１姿勢及び第２姿勢の両姿勢において被操作部７７を露出させる。ユーザは、第１開口８２を介して被操作部７７を前向き又は後向きへ押す。第１開口８２が第１開口に相当する。被操作部７７が被操作部に相当する。
【００５９】
排紙トレイ８０の左右方向９の中央部であって、且つ後端寄りの位置には、第１姿勢にあるセカンドトレイ７０の第２リアガイド１００を露出させる第２開口８３が設けられている。ユーザは、第２開口８３を介して第２リアガイド１００を前向き又は後向きへ押す。第２開口８３が第２開口に相当する。
【００６０】
排紙トレイ８０の上面８１からは、左右一対の第１支持片１１０、左右一対の第２支持片１２０、複数個の第３支持片８５及び左右一対の突部８４が上向きへ突出されている。各第１支持片１１０、各第２支持片１２０及び各突部８４がそれぞれ離間された左右方向９が第２方向に相当する。上面８１が上面に相当する。
【００６１】
［突部８４］
図８（Ａ）、（Ｂ）に示されるように、突部８４は、第２開口８３の左右両側に設けられており、排出向き４９に対して直交する当接面８４Ａを、排出向き４９における下流側に有している。突部８４は、スイッチバックローラ対５６の下方側のローラである第３駆動ローラ５７の排出向き４９における下流側の端部よりも当接面８４Ａが上流側となる位置に設けられている。したがって、スイッチバックローラ対５６から排出されたシート１７は、突部８４の前側へ排出される。排紙トレイ８０に排出されたシート１７がユーザにより後方へ向かって押された場合に、シート１７は突部８４の当接面８４Ａに当接する。また、両面印刷において、スイッチバックローラ対５６により第２搬送路３２へ送られるシート１７との摩擦力により排紙トレイ８０上のシート１７が後方へ向かって移動しようとする場合に、排紙トレイ８０上のシート１７は突部８４に当接する（図９（Ｃ））。突部８４に当接することにより、前後方向８におけるシート１７の位置ずれや排紙トレイ８０上のシート１７のプリンタ部１１内への進入が防止される。
【００６２】
一対の突部８４は、離間の中心が排紙トレイ８０の左右方向９の中央となるように配置されている。上述されたように、シート１７はセンタ合わせてメイントレイ６０及びセカンドトレイ７０に載置されるから、左右方向９の中央が排紙トレイ８０の左右方向９の中央に一致するように排紙トレイ８０に排出される。したがって、図９（Ｄ）に示されるように、一対の突部８４の離間の中心と排出されるシート１７の左右方向９の中央とが一致する。また、一対の突部８４は、画像が記録される種々のサイズのシート１７のうち、左右方向９の幅が最も小さいシート１７（例えば、葉書）の当該幅よりも離間距離が小さくなるように設けられている。したがって、この画像記録装置１０にて画像が記録可能な種々のサイズのシート１７全てにおいて、シート１７のプリンタ部１１内への進入を防止できる。なお、一対の突部８４が設けられたことにより、シート１７は、突部８４に当接して排紙トレイ８０上で回動することはない。突部８４が突部に相当する。この画像記録装置１０にて画像が記録可能な種々のサイズのシート１７としては、メイントレイ６０及びセカンドトレイ７０にて載置可能なシートのサイズである。載置可能なシートとは、第１サイドガイド機構６９又は第２サイドガイド機構９０によって位置決め可能であるシートである。従って、突部８４間の長さは、第１サイドガイド機構６９又は第２サイドガイド機構９０による最小ガイド幅より小さい長さに設定されている。
【００６３】
［第１支持片１１０］
図４、及び図８（Ａ）、（Ｂ）に示されるように、左右一対の第１支持片１１０は、排紙トレイ８０の前端部に、排出向き４９へ沿って延びるように設けられる上流傾斜部１１６と、上流傾斜部１１６の排出向き４９における下流側の端部である下流端１１５から排出向き４９に沿い上面８１に向かって下がる下流傾斜部１１７と、を有している。上流傾斜部１１６の上端面１１３は、排出向き４９（前方）へ向かうにつれて上がるように排紙トレイ８０の上面８１に対して傾斜している。右側の第１支持片１１１の上流傾斜部１１６の排出向き４９における上流側の端部である上流端１１４は、第１開口８２の前側に設けられている。左側の第１支持片１１２は、右側の第１支持片１１１に左右方向９において対向する位置に設けられている。下流傾斜部１１７は、シート１７を通常支持しない。第１支持片１１０が第１支持片に相当する。
【００６４】
［第２支持片１２０］
左右一対の第２支持片１２０は、左右方向９における排紙トレイ８０の中央部と、右側の第１支持片１１１または左側の第１支持片１１２との間となる位置に、前後方向８に沿って延びるようにそれぞれ設けられている。排出向き４９における第２支持片１２０の上流端１２１（後端）は、突部８４よりも排出向き４９における下流側に位置している。
【００６５】
左右一対の第２支持片１２０は、図８に示されるように、左右それぞれで形状が異なっている。左側に１つの第２支持片１２５が形成され、右側に１つの第２支持片１２６が形成され、２つを合わせて左右一対の第２支持片１２０としている。左側の第２支持片１２５は、排出向き４９における上流側から下流側まで連続しているが、右側の第２支持片１２６は、排出向き上流側から下流側まで不連続となっており、具体的には３つに分割されている。
【００６６】
図４に示されるように、左側の第２支持片１２５は、排出向き４９に沿って上昇する第１上流傾斜部１２７と、第１上流傾斜部１２７の排出向き４９における下流側の端部である下流端（前端）１２２から排出向き４９に沿って上面８１に向かって下がる第１下流傾斜部１２８と、を有している。第１上流傾斜部１２７は、排出向き４９における上流側の端部である上流端１２１から排出向き４９の下流側に向かって途中まで上昇するよう傾斜し、途中から上面８１と略平行となるよう形成されている。そして、略平行となった第１上流傾斜部１２７の下流端１２２から、第１下流傾斜部１２８が、下がるよう傾斜している。排出向き４９における左側の第２支持片１２５の第１上流傾斜部１２７の排出向き４９における下流側の端部である下流端１２２は、排出向き４９における第１支持片１１０の上流傾斜部１１６の上流端１１４と下流端１１５との間に位置している。
【００６７】
右側の第２支持片１２６は、排出向き４９における上流側の上流第２支持片１２６Ａ、下流側の下流第２支持片１２６Ｃ、及び、上流第２支持片１２６Ａと下流第２支持片１２６Ｃとの間の中間第２支持片１２６Ｂに３分割されている。上流第２支持片１２６Ａは、左側の第２支持片１２５の上流端１２１と左右方向９において対向する位置に上流端が位置し、突部８４の右方となる位置に下流端が位置している。上流第２支持片１２６Ａは、左側の第２支持片１２５における左右方向９において対向する部分と同じ形状に形成されている。
【００６８】
中間第２支持片１２６Ｂは、排紙向き４９において上流第２支持片１２６Ａの下流端から所定距離だけ離間する位置に上流端が位置し、排出向き４９における第１開口８１の下流側端よりも、やや上流側となる位置に下流端が位置するように排紙向き４９に沿って延びている。中間第２支持片１２６Ｂは、上面８１から排出向き４９に沿って上昇した傾斜形状から、途中から上面８１に向かって下がる形状に形成されている。中間第２支持片１２６Ｂは、上端の高さが、左側の第２支持片１２５における左右方向９において中間第２支持片１２６Ｂと対向する部分の上端の高さ以下になるように形成されている。
【００６９】
下流第２支持片１２６Ｃは、排紙向き４９において、上流第２支持片１２６Ａの下流端と第１開口８２の下流端との間となる位置に上流端が位置し、排紙トレイ８０の上面８１の前端近くの位置に下流端が位置するように排紙向き４９に沿って延びている。下流第２支持片１２６Ｃは、排出向き４９に沿って上昇する排出向き４９上流側の第２上流傾斜部１２９と、第２上流傾斜部１２９の排出向き４９における下流端１２２から排出向き４９に沿って上面８１に向かって下がる第２下流傾斜部１３０と、を有している。第２上流傾斜部１２９は、上端の高さが、左側の第２支持片１２５における左右方向９において第２上流傾斜部１２９と対向する部分の上端の高さ以下になるように形成されている。
【００７０】
第２上流傾斜部１２９は、排出向き４９における上流端１２１から排出向き４９に沿って途中まで上昇するよう傾斜し、途中から上面８１と略平行となるよう形成されている。そして、略平行となった第２上流傾斜部１２９の下流端１２２から第２下流傾斜部１３０が排紙トレイ８０の上面８１へ向かって延びている。第２上流傾斜部１２９の下流端１２２は、左側の第２支持片１２５の下流端１２２と左右方向９において対向している。つまり、第２上流傾斜部１２９の下流端１２２は、排出向き４９における第１支持片１１０の上流傾斜部１１６の上流端１１４と下流端１１５との間に位置している。
【００７１】
また、左側の第２支持片１２５及び右側の第２支持片１２６は、下流端１２２の上面８１からの突出量が第１支持片１１０の第１上流傾斜部１１６の下流端１１５の上面８１からの突出量よりも小さくなるように形成されている。左側の第２支持片１２５と下流第２支持片１２６Ｃとが、一対の第２支持片に相当する。
【００７２】
第２支持片１２０の上端面１２３は、排出向き４９（前方）へ向かうにつれて上がるように排紙トレイ８０の上面８１に対して傾斜している。
【００７３】
図８（Ｂ）に示されるように、第１支持片１１０は、第２支持片１２０における左右方向９において上流端１１４と対向する部分の上端の上面８１からの高さよりも上流端１１４の高さが低くなるように形成されている。また、第２支持片１２０は、第１支持片１１０における左右方向９において下流端１２２と対向する部分の上端の上面８１からの高さよりも下流端１２２の高さが低くなるように形成されている。したがって、図９に示されるように、スイッチバックローラ対５６（図２）により排出向き４９へ排出されたシート１７は、第２支持片１２０の上端面１２３を滑った後、下流端１２２に到達するよりも前に、第１支持片１１０の上流端１１４の位置を通過し、上流端１１４に引っ掛かることなく第１支持片１１０の上端面１１３に乗り上げ、上端面１１３上を滑る。第１下流傾斜部１２８及び第２下流傾斜部１３０は、通常はシート１７を支持しない。
【００７４】
［第３支持片８５］
複数個の第３支持片８５は、一対の第２支持片１２０の左右方向９における内側に、前後方向８に沿って延びるようにそれぞれ設けられている。第３支持片８５は、上端が排紙トレイ８０の上面８１に沿うように設けられている。つまり、第３支持片８５は、第１支持片１１０や第２支持片１２０と異なり、上端が排紙トレイ８０の上面８１に対して傾斜する構成を有していない。
【００７５】
［動作］
図２に示されるトレイ体１６のメイントレイ６０又はセカンドトレイ７０に載置されたシート１７は、給送ローラ２３により第１搬送路３１へ送り出される。送り出されたシート１７は、第１搬送ローラ対５０により搬送され、プラテン３５上において記録部４０により一面に画像が記録される。画像が記録されたシート１７は、第２搬送ローラ対５３によりスイッチバックローラ対５６へ搬送される。図９に示されるように、片面印刷の場合、シート１７は、スイッチバックローラ対５６から排紙トレイ８０へ排出される。
【００７６】
図１０に示されるように、両面印刷の場合、一面（表面）に画像が記録されたシート１７は、スイッチバックローラ対５６の一方の向きの回転により排出向き４９へ搬送され、第１搬送向き４５における下流端（前端）がスイッチバックローラ対５６から垂れ下がって第１搬送向き４５の上流端（後端）が第２接続点４７を越えた後、スイッチバックローラ対５６の他方の向きの回転によりプリンタ部１１の内部へ引き込まれ、後端側から第２搬送路３２に進入する。第２搬送路３２に進入したシート１７は、第１接続点４６（図２）から第１搬送路３１に進入し、表裏が反転した状態で再びプラテン３５上に搬送され、記録部４０により裏面に画像が記録される。両面に画像が記録されたシート１７は、スイッチバックローラ対５６から排紙トレイ８０へ排出される。
【００７７】
Ａ４などの大きいサイズのシート１７が排紙トレイ８０に排出される場合について、図９を参照して詳しく説明がされる。シート１７は、図９（Ａ）に示されるように、排出向き４９における下流端（前端）がスイッチバックローラ対５６から垂れ下がるようにして排出され、前端が排紙トレイ８０の第２支持片１２０上（左側の第２支持片１２５の第１上流傾斜部１２７の上端と、右側の第２支持片１２６の中間第２支持片１２６Ｂの上端）及び第３支持片８５上を滑る。左右一対の第２支持片１２０及び複数個の第３支持片８５は左右一対の第１支持片１１０の内側に配置されており、離間距離が第１支持片１１０に比べて小さい。したがって、目の方向が左右方向９に沿う横目のシート１７のような剛性の低いシートであっても、引っ掛かることがなく第２支持片１２０や第３支持片８５上を滑る。シート１７は、右側の第２支持片１２６の中間第２支持片１２６Ｂ上を滑った前端が中間第２支持片１２６Ｂを越えたあと下流第２支持片１２６Ｃに到達するまでは、左側第２支持片１２５の第１上流傾斜部１２７に当接しながら排紙される。シート１７は、前端が下流第２支持片１２６Ｃに到達すると、左側の第２支持片１２５の第１上流傾斜部１２７に当接しながら、右側の第２支持片１２６Ｃの第２上流傾斜部にも当接しつつ、さらに排出向き４９に沿って排出される。このとき、第２上流傾斜部１２９の上面８１に対する傾斜角度は、第１上流傾斜部１２７よりも大きくなっているが、第１上流傾斜部１２７に当接しているため、第２上流傾斜部１２９に引っかかることなく、円滑に排紙できる。
【００７８】
第２支持片１２０及び第３支持片８５上を排出向き４９へ滑ったシート１７の前端は、図９（Ｂ）に示されるように、第２支持片１２０から第１支持片１１０の上端面１１３に乗り上げ、上端面１１３上を滑る。図９（Ｃ）に示されるように、シート１７は、前端部が第１支持片１１０の下流端１１５よりも前方へ向かって突出し、且つ後端が突部８４の前側に位置する状態で排紙トレイ８０に支持される。
【００７９】
排紙トレイ８０に支持されたシート１７は、図１０（Ｄ）に示されるように、第１支持片１１０及び第２支持片１２０により、前端の左右方向９における中央部が左端及び右端よりも下がった湾曲された状態とされる。これは、第１支持片１１０の下流端１１５が、第２支持片１２０の下流端１２２よりも上方に突出するよう形成されているためである。前端が湾曲されることによりシート１７の剛性が上がり、シート１７の前端部が排紙トレイ８０から垂れ下がることが抑制される。従って、シート１７の後端部が持ち上がることが抑制される。
【００８０】
また、第１支持片１１０の下流端１１５を高く形成する分、上流傾斜部１１６の上面８１に対する傾斜角度が大きくなってしまう。しかしながら、シート１７は、下流端１１５よりも低く形成される下流端１２２を有する第２支持片１２０の第１上流傾斜部１２７及び第２上流傾斜部１２９が先に当接するから、上流傾斜部１１６よりも上面８１に対する傾斜角度が小さい第１上流傾斜部１２７及び第２上流傾斜部１２９に案内されることとなる。さらに、第１上流傾斜部１２７及び第２上流傾斜部１２９と上流傾斜部１１６とが排出向き４９において連続するよう、第１支持片１１０及び第２支持片１２０が形成されているため、円滑にシート１７が排出される。
【００８１】
また、第１支持片１１０及び第２支持片１２０が、排出向き４９における下流側に向かうほど高くなるよう形成されているため、シート１７は、第１支持片１１０及び第２支持片１２０により、後端から前端へ向かうに従って排出向き４９において徐々に曲率半径が小さくなるように湾曲した状態となる。スイッチバックローラ対５６から続いて排出されるシート１７の排出向き４９における下流端は、排紙トレイ８０上のシート１７のほとんど湾曲されていない後端に最初に摺接する。上端面が傾斜されていない複数個の支持片が形成された従来の排紙トレイを単に傾けてトレイ体に取り付けた構成では、排紙トレイ８０上のシート１７の後端も湾曲され、排出されたシート１７は排紙トレイ８０上のシート１７の左右両端にのみ接触して当該シート１７に引っ掛かるおそれがある。本実施形態では、排紙トレイ８０上のシート１７のほとんど湾曲されていない後端に、次に排出されるシート１７の前端を最初に接触させ、また、排紙トレイ８０上のシート１７の前端部が垂れ下がるのを抑えて当該シート１７の後端部が持ち上がることを抑制できるから、複数枚のシート１７を排紙トレイ８０上にスムースに排出することが可能となっている。
【００８２】
［本実施形態の効果］
本実施形態では、第１支持片１１０及び第２支持片１２０により、排紙トレイ８０に支持されたシート１７の排出向き４９における下流端（前端）が排紙トレイ８０から垂れ下がることを抑制することができ、また、先に排出されたシート１７に引っ掛かることなく次のシート１７をスムースに排出することができる。その結果、複数枚のシート１７を排紙トレイ８０上に正常に排出することができる。
【００８３】
また、外側の第１支持片１１０と内側の第２支持片１２０との２種類の支持片が設けられており、排出されたシート１７を内側の第２支持片１２０に最初に当接させるから、左右方向９に目が沿う横目のシート１７であっても、正常に排出することができる。
【００８４】
また、排紙トレイ８０に積み重なったシート１７は、排出向き４９における上流端（後端）が突部８４に当接することにより後方への移動が制止される。ユーザによりシート１７が後方へ押された場合や、両面印刷においてスイッチバックローラ対５６によりシート１７が第２搬送路３２へ進入される場合（図１０）において、突部８４により、前後方向８におけるシート１７の位置ずれや、シート１７がプリンタ部１１の内部への引き込まれることが防止される。
【００８５】
［変形例］
本実施形態では、両面記録機能を備え、スイッチバックローラ対５６からシート１７が排出される例が説明されたが、両面記録機能を備えない画像記録装置にも本発明を用いることができる。両面記録機能を備えない場合は、第２搬送ローラ対５３がスイッチバックローラ対５６の位置に設けられる。この構成では、第２搬送ローラ対５３が排出ローラに相当する。
【００８６】
また、本実施形態では、スイッチバックローラ対５６からシート１７を排出する例が説明されたが、第１搬送向き４５におけるスイッチバックローラ対５６より下流側に排出口を設け、この排出口からシート１７を排出させる構成が採用されてもよい、この構成の場合、排出口は突部８４よりも前側となる位置に配置される。
【００８７】
また、本実施形態では、センタ合わせの第１サイドガイド機構６９及び第２サイドガイド機構９０が用いられた例が説明されたが、左端合わせ又は右端合わせのサイドガイド機構が用いられてもよい。端合わせのサイドガイド機構が用いられた場合は、左右一対の突部８４は、排紙トレイ８０の左端又は右端に寄せて設けられる。
【００８８】
また、本実施形態では、排紙トレイ８０がトレイ体１６に設けられた構成が説明されたが、排紙トレイ８０がトレイ体１６とは別に筐体１３に装着される構成が採用されてもよい。
【００８９】
また、本実施形態では、トレイ体１６がメイントレイ６０とセカンドトレイ７０との２つのトレイを備えており、ユーザが選択したシート１７に画像が記録される構成が説明されたが、トレイ体１６がセカンドトレイ７０を備えずメイントレイ６０のみを備えた構成を採用することもできる。この構成の場合、図９に示されたように排紙トレイ８０に第１開口８２及び第２開口８３（図４）を設ける必要がなく、前後方向８における第１支持片１１０の長さや、左右方向９における第１支持片１１０及び第２支持片１２０の位置を自由に設定することができる。
【００９０】
また、本実施形態では、第２支持片１２０が一対の第１支持片１１０の左右方向９における内側に設けられた例が説明されたが、図１１に示されるように、一対の第２支持片１２０が一対の第１支持片１１０の左右方向９における外側に配置されてもよい。この構成でも、排出向き４９の上流側から下流側へ向かうに従って徐々に曲率半径が小さくなるようにシート１７を支持することができ、複数枚のシート１７を排紙トレイ８０上に正常に排出することができる。
【００９１】
また、本実施形態では、第１支持片１１０及び第２支持片１２０に上端面１１３及び上端面１２３が設けられた例が説明されたが、シート１７を滑りやすくするために、第１支持片１１０や第２支持片１２０の上端は、図１２に示されるように、前側から見て上方へ突出する円弧状の曲面（図１２（Ａ））となるように形成されてもよい。または、第１支持片１１０や第２支持片１２０の上端は、上方へ向かうに従って先細りするエッジ（図１２（Ｂ））となるように形成されてもよい。
【符号の説明】
【００９２】
９・・・左右方向（第２方向）
１０・・・画像記録装置
１６・・・トレイ体
４０・・・記録部
４９・・・排出向き（第１方向）
５６・・・スイッチバックローラ対（排出ローラ対）
５７・・・第３駆動ローラ
６０・・・メイントレイ（第１トレイ）
６５・・・上面（第１載置面）
７０・・・セカンドトレイ（第２トレイ）
７２・・・上面（第２載置面）
７７・・・被操作部
８０・・・排紙トレイ
８１・・・上面（支持面）
８２・・・第１開口
８３・・・第２開口
８４・・・突部
１００・・リアガイド（位置決め部材）
１１０・・第１支持片
１１３・・上端面
１１４・・上流端
１１５・・下流端
１２０・・第２支持片
１１１・・上流端
１１２・・下流端
１１３・・上端面
【図１】
0006011678.tif 000002
【図２】
0006011678.tif 000003
【図３】
0006011678.tif 000004
【図４】
0006011678.tif 000005
【図５】
0006011678.tif 000006
【図６】
0006011678.tif 000007
【図７】
0006011678.tif 000008
【図８】
0006011678.tif 000009
【図９】
0006011678.tif 000010
【図１０】
0006011678.tif 000011
【図１１】
0006011678.tif 000012
【図１２】
0006011678.tif 000013